(57)【要約】【課題】折り畳んだ際の厚みを小さくできるようにしてコンパクトに折り畳むことができると共に、干し物を干す部分を効率よく使用することができる自立式物干し具を提供する。【解決手段】左右の縦枠材１１と上下の横枠材１２とが枠用継手２を介して矩形に形成された複数の枠体１間に、横杆用継手２を介して少なくとも２本の横杆３が差し渡されて、複数の前記枠体１どうしが折り畳み可能に形成されると共に、前記横枠材１２の端部が前記枠用継手２に挿入され、前記枠用継手２の内部を貫通して固定ネジＮ１が螺入されることによって、前記枠用継手２と前記横枠材１２が固定されてなり、前記枠用継手２は前記縦枠材１１の外形と同形となされ、かつ前記枠用継手２の側壁２２内周面には仕切り壁２５が形成されており、この仕切り壁２５と前記側壁２２と前記枠用継手２の閉塞された一端Ｅとによって、横枠材挿入孔２４が形成されているようにする。【選択図】        図１
2018110900.tif 000002
【特許請求の範囲】
【請求項１】
左右の縦枠材と上下の横枠材とが枠用継手を介して矩形に形成された複数の枠体間に、横杆用継手を介して少なくとも２本の横杆が差し渡されて、複数の前記枠体どうしが折り畳み可能に形成されると共に、前記横枠材の端部が前記枠用継手に挿入され、前記枠用継手の内部を貫通して固定ネジが螺入されることによって、前記枠用継手と前記横枠材が固定されてなり、前記枠用継手は前記縦枠材の外形と同形となされ、かつ前記枠用継手の側壁内周面には仕切り壁が形成されており、この仕切り壁と前記側壁と前記枠用継手の閉塞された一端とによって、横枠材挿入孔が形成されていることを特徴とする自立式物干し具。
【発明の詳細な説明】
【技術分野】
【０００１】
本発明は、折り畳んで収納できると共に、展開して使用することができる自立式物干し具に関するものである。
【背景技術】
【０００２】
自立式物干し具については、従来より種々の提案がなされており、例えば特許文献１には、２本の各竿受け枠４、４は各支柱１、１の上部に対して、前後両方向に延出する前後振り分け姿勢４Ａと、前方へ移動させて前方へ長く延出する前方延出姿勢４Ｂとに切換移動操作可能に構成した物干し器が開示されている（特許文献１の請求項１参照）。
【０００３】
また、特許文献２には、上横杆、下横杆、左縦杆及び右縦杆からなる略四角枠状の干枠体を複数個並列状に配置し、該隣り合う干枠体の左縦杆間及び右縦杆間にそれぞれ二個の支持リンクを支軸により枢着してなるＸ状リンクを配置し、該干枠体の左縦杆及び右縦杆に上下一対の摺動筒を摺動自在に設け、該Ｘ状リンクの二個の支持リンクの各端部を上下一対の摺動筒にそれぞれ連結ピンにより枢着連結し、該左縦杆及び右縦杆を伸縮調節自在に設け、該上横杆に先端部を隣り合う上横杆上に載置可能な橋絡杆の基部を回動自在に設け、該橋絡杆に複数個の吊り具を設けてなる物干し具が開示されている（特許文献２の請求項１参照）。
【先行技術文献】
【特許文献】
【０００４】
【特許文献１】特開２０００−１９７７９７号公報
【特許文献２】特開２００８−２７９１９９号公報
【発明の概要】
【発明が解決しようとする課題】
【０００５】
しかしながら、上記従来の特許文献１に記載の自立式物干し具においては、竿受け枠４が前後振り分け姿勢４Ａにある場合も、前方延出姿勢４Ｂにある場合も、支柱１と竿受け枠４とがＴ型継手１３を用いて接続されているため、Ｔ型継手１３が邪魔になり、その部分に配されている竿受枠４の部分には干し物を干すことができず、竿受け枠４を有効に使用することができないものであった。
【０００６】
また、上記従来の特許文献２に記載の自立式物干し具においては、Ｘ状リンクを備えていることから、使わない時（収納時）は折り畳んで省スペース化することができ、使用時には展開して干し物を干すことができるようになっているものの、収納時に折り畳んだ状態において、対向する摺動筒と連結ピンとが干渉してしまうため、さらにコンパクトに折り畳むことができる自立式物干し具が要望されていた。
【０００７】
本発明は、折り畳んだ際の厚みを小さくできるようにしてコンパクトに折り畳むことができると共に、干し物を干す部分を効率よく使用することができる自立式物干し具を提供せんとするものである。
【課題を解決するための手段】
【０００８】
上記目的を達成するために、本発明は次のような構成としている。
すなわち本発明に係る自立式物干し具は、左右の縦枠材と上下の横枠材とが枠用継手を介して矩形に形成された複数の枠体間に、横杆用継手を介して少なくとも２本の横杆が差し渡されて、複数の前記枠体どうしが折り畳み可能に形成されると共に、前記横枠材の端部が前記枠用継手に挿入され、前記枠用継手の内部を貫通して固定ネジが螺入されることによって、前記枠用継手と前記横枠材が固定されてなり、前記枠用継手は前記縦枠材の外形と同形となされ、かつ前記枠用継手の側壁内周面には仕切り壁が形成されており、この仕切り壁と前記側壁と前記枠用継手の閉塞された一端とによって、横枠材挿入孔が形成されていることを特徴とするものである。
【発明の効果】
【０００９】
本発明に係る自立式物干し具によれば、左右の縦枠材と上下の横枠材とが枠用継手を介して矩形に形成された複数の枠体間に、横杆用継手を介して少なくとも２本の横杆を差し渡して、複数の前記枠体どうしが折り畳み可能に形成すると共に、前記横枠材の端部を前記枠用継手に挿入し、前記枠用継手の内部を貫通して固定ネジを螺入することによって、前記枠用継手と前記横枠材を固定してなり、前記枠用継手が前記縦枠材の外形と同形にして、かつ前記枠用継手の側壁内周面には仕切り壁が形成されており、この仕切り壁と前記側壁と前記枠用継手の閉塞された一端とによって、横枠材挿入孔が形成されているため、前記横枠材の端部の前記枠用継手に挿入された間際まで干し物を前記横枠材に掛けて干すことができるので、干し物を干す部分である横枠材を目一杯長く使用することができると共に、タオル等を前記横枠材に直接干す時には、前記枠用継手に横方向の突部が無いので、タオルに皺が付きにくくすることができる。さらに、前記横枠材と枠用継手を固定する固定ネジを前記枠用継手の内部を貫通させて螺入しているため、前記固定ネジが外部に露出することがなく、外観がスッキリしたものとすることができる。
【図面の簡単な説明】
【００１０】
【図１】本発明に係る自立式物干し具の一つの実施形態であって、一つの使用状態を示す斜視図である。
【図２】図１に示す自立式物干し具の、（ａ）は正面図、（ｂ）は平面図、（ｃ）は底面図、（ｄ）は側面図である。
【図３】図２（ａ）に示すＡ−Ａ断面図である。
【図４】図３に示すＡ部、Ｂ部の拡大図である。
【図５】図２（ａ）に示すＢ−Ｂ断面図である。
【図６】図５に示すＡ部、Ｂ部の拡大図である。
【図７】図２（ａ）に示すＣ−Ｃ断面図である。
【図８】図７に示すＡ部、Ｂ部の拡大図である。
【図９】図２（ａ）に示すＤ部の、（ａ）は拡大図、（ｂ）は（ａ）の断面図である。
【図１０】本発明に係る自立式物干し具の一つの実施形態であって、別の使用状態を示す斜視図である。
【図１１】本発明に係る自立式物干し具の折り畳まれた収納状態を示す、（ａ）は正面図、（ｂ）は平面図、（ｃ）は底面図、（ｄ）は右側面図、（ｅ）は左側面図、（ｆ）は背面図である。
【図１２】本発明に係る自立式物干し具を構成する枠用継手の、（ａ）は正面図、（ｂ）は平面図、（ｃ）は底面図、（ｄ）は側面図、（ｅ）はＡ−Ａ断面図、（ｆ）はＢ−Ｂ断面図、（ｇ）はＣ−Ｃ断面図である。
【図１３】本発明に係る自立式物干し具を構成する枠用中間継手の、（ａ）は正面図、（ｂ）は平面図、（ｃ）は底面図、（ｄ）は側面図、（ｅ）はＡ−Ａ断面図、（ｆ）はＢ−Ｂ断面図、（ｇ）はＣ−Ｃ断面図である。
【図１４】本発明に係る自立式物干し具を構成する横杆用継手の、（ａ）は正面図、（ｂ）は平面図、（ｃ）は底面図、（ｄ）は側面図、（ｅ）はＡ−Ａ断面図、（ｆ）はＢ−Ｂ断面図である。
【図１５】本発明に係る自立式物干し具を構成する押え材の、（ａ）は正面図、（ｂ）は平面図、（ｃ）は側面図、（ｄ）はＡ−Ａ断面図である。
【発明を実施するための形態】
【００１１】
次に、本発明につき実施形態を取り上げて説明を行う。なお、本実施形態はあくまでも本発明を理解するための一例を示したに過ぎず、各部の形状、構造、材質等に関し、本実施形態以外のバリエーションが、本発明の要旨を逸脱しない範囲内で許容されていることは言うまでもない。また、図１に矢印で示す方向を、それぞれ正面、背面、左、右、上、下の方向とする。
【００１２】
Ｐは本発明に係る自立式物干し具であり、１は枠体であって、左右の縦枠材１１と上下の横枠材１２とが枠用継手２を介して矩形に形成されている。本発明に係る自立式物干し具の本実施形態においては、前記枠体１が２個備えられており、それらの枠体１間に上下に２本の横杆３が横杆用継手４を介して差し渡されている。前記縦枠材１１、横枠材１２、横杆３は、パイプ材の外周に合成樹脂が被覆されて形成されている。前記パイプ材は、その長さが５００〜１５００ｍｍ、外径が１９〜３０ｍｍ、肉厚が０．４〜１．０ｍｍであることが好ましい。
【００１３】
また前記パイプは、鉄、ステンレス、アルミニウム合金等の金属、あるいは、ポリプロピレン、ポリスチレン、ポリ塩化ビニル、ポリ塩化ビニリデン、ポリカーボネート、ポリエチレンテレフタレート、ポリブチレンテレフタレート、ポリエチレンナフタレート、ポリアミド、ポリウレタン、ポリアクリロニトリル、ＡＢＳ、ＡＡＳ、フェノール樹脂、不飽和ポリエステル樹脂、エポキシ樹脂、ＦＲＰ等の合成樹脂からなる管状体が用いられ、その断面形状は、本実施形態に示すように、断面が真円形状のものが好適に使用される。
【００１４】
前記パイプ材の外周に形成されている合成樹脂製の被覆層は、その厚みが０．２〜０．５ｍｍ程度のものであり、前記合成樹脂の種類はポリ塩化ビニル、ポリプロピレン、ポリエチレン、エチレンー酢酸ビニル共重合体、ＡＢＳ樹脂、繊維素系樹脂、ポリアミド、ポリスチレン等が使用される。
【００１５】
図１１に示す実施形態は、本発明に係る自立式物干し具Ｐを収納するために扁平状に折り畳んだ収納状態を示している。そして自立式物干し具Ｐを使用する際には、この折り畳んだ状態から自立式物干し具Ｐを広げて使用する。図１から図１０に示す実施形態は、自立式物干し具Ｐを平面視Ｚ型に広げた使用状態を示す。また図７に示す実施形態は、自立式物干し具Ｐを平面視コの字型に広げた使用状態を示す。また図１２から図１５には、図１から図１１に示す自立式物干し具Ｐを構成する部材である枠用継手２、横杆用継手４、枠用中間継手５、押え材６を示す。
【００１６】
前述の通り、前記枠体１は左右の前記縦枠材１１と前記上下の横枠材１２とが前記枠用継手２を介して上下方向に縦長の矩形に枠組されて形成されている。詳細には、前記枠用継手２は一端Ｅが閉塞され他端が解放された筒状体から成り、解放された挿入孔２１から前記縦枠材１１が挿入され、前記挿入孔２１に近い前記枠用継手２の側壁２２に形成されている膨出部２７に設けられたネジ孔２３に外方から蝶ネジＴ１が螺入されて、さらに前記蝶ネジＴ１を前記縦枠材１１の側壁を貫通させて螺入させ、前記縦枠材１１と前記枠用継手２とが固定されている。そして、前記枠用継手２は前記縦枠材１１の外形と同形となされている。すなわち、本実施形態においては前記縦枠材１１が円筒状のパイプで形成されているので、枠用継手２はその外形が、前記膨出部２７を除いて円柱状に形成されている。
【００１７】
前記枠用継手２の前記ネジ孔２３が設けられているのと反対側、すなわち前記枠用継手２の閉塞されている側の側壁２２には横枠材挿入孔２４が形成されて、この横枠材挿入孔２４に前記横枠材１２の端縁が、筒状体の前記枠用継手２の側壁２２内周面に一部が当接されて挿入されている。そして、前記枠用継手２は、その前記横枠材１２を挿入する部位である前記横枠材挿入孔２４の周縁には横方向に突出する突部や膨出部等を備えていない様に形成されている。
【００１８】
また、筒状体の前記枠用継手２の側壁２２内周面には仕切り壁２５が形成されており、この仕切り壁２５と前記側壁２２と前記枠用継手２の閉塞された一端Ｅとによって、前記横枠材挿入孔２４が形成されている。さらに、前記仕切り壁２５には前記横枠材１２と前記枠用継手２とを固定するために固定ネジＮ１を螺入するための横枠材固定用ネジ孔２６が設けられており、この横枠材固定用ネジ孔２６に前記固定ネジＮ１が螺入され、さらに前記固定ネジＮ１を前記横枠材１２の側壁を貫通させて螺入させ、前記横枠材１２と前記枠用継手２とが固定されている。この様に、筒状体の前記枠用継手２の側壁２２内周面に形成している前記仕切り壁２５に前記横枠材固定用ネジ孔２６を設けているので、前記固定ネジＮ１が外部に露出することがなく、外観がスッキリしたものとすることができる。
【００１９】
また左右の前記縦枠材１１は、上下に２本ずつの前記縦枠材１１が筒状体の前記枠用中間継手５の上下に形成された挿入孔５１にそれぞれ挿入され、前記枠用中間継手５の上部と下部の側壁５２にそれぞれ形成されている膨出部５７に設けられた２個のネジ孔５３に蝶ネジＴ２が螺入されて、さらに前記蝶ネジＴ２を前記縦枠材１１の側壁を貫通させて螺入させ、２本の前記縦枠材１１と前記枠用中間継手５とが固定されている。
【００２０】
さらに、筒状体の前記枠用中間継手５の中央付近の側壁５２には、左右の前記縦枠材１１間に差し渡される干し棒７を挿入し固定するための干し棒挿入孔５４が形成されて、この干し棒挿入孔５４に前記干し棒７の端縁が、筒状体の前記枠用中間継手５の側壁５２内周面に一部が当接されて挿入されている。また、筒状体の前記枠用中間継手５の側壁５２内周面には対向した一対の仕切り壁５５が形成されており、これらの仕切り壁５５と前記側壁５２とによって、前記干し棒挿入孔５４が形成されている。
【００２１】
さらに、一対の前記仕切り壁５５のうち少なくとも一方には前記干し棒７と前記枠用中間継手５とを固定するために固定ネジを螺入するための干し棒固定用ネジ孔５６が設けられており、この干し棒固定用ネジ孔５６に前記固定ネジが螺入され、さらに前記固定ネジを前記干し棒７の側壁を貫通させて螺入させ、前記干し棒７と前記枠用中間継手５とが固定されている。この様に、筒状体の前記枠用中間継手５の側壁５２内周面に形成している前記仕切り壁５５に前記干し棒固定用ネジ孔５６を設けているので、前記固定ネジが外部に露出することがなく、外観がスッキリしたものとすることができる。
【００２２】
なお、本実施形態においては、一対の前記仕切り壁５５のうち一方にのみ前記干し棒挿入孔５４を形成しているが、一対の前記仕切り壁５５の両方に前記干し棒挿入孔５４を形成し、前記干し棒挿入孔５４の両方に前記固定ネジを螺入し、さらに前記固定ネジを前記干し棒７の側壁を貫通して螺入し、前記干し棒７と前記枠用中間継手５とを固定するようにしてもよい。
【００２３】
前記枠体１は本実施形態においては２個設けられており、前述の様に、それらの前記枠体１間に上下に２本の前記横杆３が前記横杆用継手４を介して差し渡されている。この横杆用継手４は２個の筒状体をその一方の側壁から他方を突設させたＴ型の形状であり、両端が開口した筒状体の方に前記縦枠材１１を挿通し、一方のみ開口した筒状体の方に前記横杆３を挿入するようになっている。そして、一方のみ開口した筒状体の方に前記横杆３を挿入し、前記横杆用継手４の側壁４１に形成されている膨出部４３に設けられたネジ孔４２に外方から固定ネジＮ２が螺入されて、さらに前記固定ネジＮ２を前記縦横杆３の側壁を貫通させて螺入させ、前記横杆３と前記横杆用継手４とが固定されている。
【００２４】
そして、２個の前記枠体１の縦枠１１の一方に、前記横杆３の両端に挿入され固定された２個の横杆用継手４をそれぞれ挿入するのであるが、前記横杆用継手４は２個の前記枠体１どうしが折り畳み可能とするために、前記縦枠材１１に対して回動可能としている。すなわち、前記横杆用継手４は前記縦枠１１に固定されていないので、そのままの状態であると、前記縦枠材１１を上下に移動してしまう。すなわち、上側の前記横杆用継手４は下方に落下してしまい、下側の前記横杆用継手４は上方に移動可能となっている。それを防止するために、前記押え材６を上側の前記横杆用継手４の下側に、また下側の前記横杆用継手４の上側に、それぞれ配置する。前記押え材６は短尺の円筒体であり、その側壁６１に固定ネジＮ３を螺入するための膨出部６２が横方向に向けて突設されている。この膨出部６２に穿設されている挿入孔６３に前記固定ネジＮ３を螺入し、さらに前記固定ネジＮ３を前記縦枠材１１の側壁を貫通させて螺入し、前記前記縦枠材１１と前記押え材６とを固定する。そして、前記縦枠材１１の上部に固定した前記押え材６の上に当接するように前記横杆用継手４を前記縦枠材１１に挿通し、その上から前記枠用継手２をその挿入孔２１から挿入し、前記枠用継手２の側壁２２に形成されている前記膨出部２７に設けられた前記ネジ孔２３に外方から前記蝶ネジＴ１を螺入して、さらに前記蝶ネジＴ１を前記縦枠材１１の側壁を貫通させて螺入し、前記縦枠材１１と前記枠用継手２とを固定することにより、上側の前記横杆用継手４は下方に落下することがなくなる。
【００２５】
これと同様に、前記縦枠材１１の下部に固定した前記押え材６の下に当接するように前記横杆用継手４を前記縦枠材１１に挿通し、その下から前記枠用継手２をその挿入孔２１から挿入し、前記枠用継手２の側壁２２に形成されている前記膨出部２７に設けられた前記ネジ孔２３に外方から前記蝶ネジＴ１を螺入して、さらに前記蝶ネジＴ１を前記縦枠材１１の側壁を貫通させて螺入し、前記縦枠材１１と前記枠用継手２とを固定することにより、下側の前記横杆用継手４は上方に移動不可能となっている。上記の如く構成することによって、２個の前記枠体１間に、前記横杆用継手４を介して２本の横杆３が差し渡されて、２個の前記枠体どうしが折り畳み可能に形成されている。
【００２６】
本実施形態において、本発明に係る自立式物干し具Ｐは、２個の前記枠材１に２本の前記横杆を差し渡して形成しているが、これに限定されるものではなく、３個の前記枠材１のそれぞれに２本ずつ計４本の前記横杆を差し渡して形成してもよく、４個の前記枠材１のそれぞれに２本ずつ計６本の前記横杆を差し渡して形成してもよく、或いは３個の前記枠材１のそれぞれに３本ずつ計６本の前記横杆を差し渡して形成してもよい。要は、左右の縦枠材１１と上下の横枠材１２とが枠用継手２を介して矩形に形成された複数の枠体１間に、横杆用継手４を介して少なくとも２本の横杆３が差し渡されて、複数の前記枠体１どうしが折り畳み可能に形成されていればよい。
【００２７】
また本実施形態において、前記縦枠材１１を円筒状のパイプで形成しているが、特にこれに限定されるものではなく、四角筒状や六角形状等のパイプであっても良い。しかし、前記横杆３が差し渡される側の縦枠材１１については、複数の前記枠体１どうしが折り畳み可能に形成するために、円筒状の縦枠材に限定される。
【符号の説明】
【００２８】
１  枠体
１１  縦枠材
１２  横枠材
２  枠用継手
２１  挿入孔
２２  側壁
２３  ネジ孔
２４  横枠材挿入孔
２５  仕切り壁
２６  横枠材固定用ネジ孔
２７  膨出部
３  横杆
４  横杆用継手
４１  側壁
４２  ネジ孔
４３  膨出部
５  枠用中間継手
５１  挿入孔
５２  側壁
５３  ネジ孔
５４  干し棒用挿入孔
５５  仕切り壁
５６  干し棒固定用ネジ孔
５７  膨出部
６  押え材
６１  側壁
６２  膨出部
６３  挿入孔
７  干し棒
Ｐ  自立式物干し具
Ｔ１，Ｔ２  蝶ネジ
Ｎ１，Ｎ２，Ｎ３  固定ネジ
Ｅ  一端
【図１】
2018110900.tif 000003
【図２】
2018110900.tif 000004
【図３】
2018110900.tif 000005
【図４】
2018110900.tif 000006
【図５】
2018110900.tif 000007
【図６】
2018110900.tif 000008
【図７】
2018110900.tif 000009
【図８】
2018110900.tif 000010
【図９】
2018110900.tif 000011
【図１０】
2018110900.tif 000012
【図１１】
2018110900.tif 000013
【図１２】
2018110900.tif 000014
【図１３】
2018110900.tif 000015
【図１４】
2018110900.tif 000016
【図１５】
2018110900.tif 000017